【事件の表示】
　特許第２９１４９８１号「表示装置」の請求項１、２に係る特許に対する特許異議の申立てについて、次のとおり決定する。
【結　論】
　訂正を認める。
　特許第２９１４９８１号の請求項１に係る特許を取り消す。
【理　由】
１、手続の経緯
　本件特許第２９１４９８１号に係る特許出願は、昭和６３年７月２７日の出願であって、平成１１年４月１６日に特許権の設定登録がされた後、平成１２年１月５日に特許異議申立人・押谷泰紀より、その請求項１ないし２に係る特許に対して特許異議申立がなされたものである。
　そして、平成１２年１２月４日付けで取消理由が通知され、それに対して平成１３年２月１３日付けで意見書及び訂正請求書が提出されたものである。
　
２、訂正の適否についての判断
イ、訂正の要旨
　本件特許に係る平成１３年２月１３日付けの訂正請求は、願書に添付した明細書（以下、「特許明細書」という。）を訂正請求書に添付した訂正明細書に記載された次のとおりに訂正するものである。
　
特許明細書の【特許請求の範囲】の欄の、
「　【請求項１】ガラス基板の上に少なくとも螢光層、正電極、発光層及び負電極が順次積層された構造を有し、前記正電極、前記発光層及び前記負電極が電界発光装置をなし、前記発光層は、前記正電極及び前記負電極間に印加される電圧によって励起されて電界発光をなし、該発光は前記電界発光装置の積層方向に出射されて前記螢光層を照射して螢光をなし、該螢光が前記ガラス基板を通して外部に放射されることを特徴とする表示装置。
　　【請求項２】前記正電極及び前記発光層間に正孔注入層を有することを特徴とする請求項１記載の表示装置。」
を、
「　【請求項１】ガラス基板の上に少なくとも螢光層、正電極、発光層及び負電極が順次積層された構造を有し、
　前記正電極、前記発光層及び前記負電極が電界発光装置をなし、
　
前記正電極および前記発光層間に正孔注入層を有し、
　該発光は前記電界発光装置の積層方向に出射されて前記螢光層を照射して螢光をなし、
　該螢光が前記ガラス基板を通して外部に放射されることを特徴とする表示装置。」
と訂正する。（下線部は、訂正個所を示す。）
　
ロ、訂正の目的の適否、新規事項の有無、拡張・変更の存否
　上記訂正においてその請求項１に、「
前記正電極および前記発光層間に正孔注入層を有し、
　そして、削除された訂正前の請求項２には、「前記正電極及び前記発光層間に正孔注入層を有する」ことが記載されていたものであるから、特許明細書に記載されていた事項の範囲内の訂正であり、かつ、本件発明の課題や効果に変更が生じるものではないから、この訂正は実質上特許請求の範囲を拡張し、又は変更するものではないものと認められる。
　
　したがって、上記訂正事項は、特許請求の範囲の減縮を目的としたものであり、特許明細書に記載した事項の範囲内においてした訂正であって、実質上特許請求の範囲を拡張し、又は変更するものではないから、特許法第１２０条の４第２項ただし書に規定する事項を目的とするものであって、かつ、特許法１２０条の４第３項で準用する平成５年改正の特許法第１２６条第１項ただし書き及び第２項の規定に適合するものであるから、本件に係る訂正請求は認容できるものである。
　
３、本件発明
　本件発明は、上記訂正請求書に添付した訂正明細書の特許請求の範囲に記載された次のとおりのものと認める。（以下、「本件発明」という。）
　
　【請求項１】ガラス基板の上に少なくとも螢光層、正電極、発光層及び負電極が順次積層された構造を有し、
　前記正電極、前記発光層及び前記負電極が電界発光装置をなし、
　
前記正電極および前記発光層間に正孔注入層を有し、
　該発光は前記電界発光装置の積層方向に出射されて前記螢光層を照射して螢光をなし、
　該螢光が前記ガラス基板を通して外部に放射されることを特徴とする表示装置。
　
４、引用例記載の発明
　上記平成１２年１２月４日付け取消理由において通知した、
　　　引用例イ：特開昭６１−１６４９５号公報
　　　　　（異議申立人の提示した甲第２号証）
　　　引用例ロ：特開昭５９−１９４３９３号公報
　　　　　（異議申立人の提示した甲第３号証）
には、次のとおりの発明が記載されている。
　
引用例イ；
　第１頁左下欄の「２．特許請求の範囲」の欄には、
「電界印加に応答して光を出力するＥＬ発光層と励起光の照射に応答して光を出力するＰＬ発光層とを積層方向に配置し、前記ＥＬ発光層を前記ＰＬ発光層に対する励起光源としたことを特徴とする面発光素子。」
と記載され、
　第１頁左下欄の「３．発明の詳細な説明」の「従来技術」の欄には、
「本発明はエレクトロルミネセンス：ＥＬ（Ｅｌｅｃｔｒｏ　Ｌｕｍｉｎｅｓｃｅｎｃｅ）発光を呈する発光層とフォトルミネセンス：ＰＬ（Ｐｈｏｔｏ　Ｌｕｍｉｎｅｓｃｅｎｃｅ）発光を呈する発光層を重畳して用いた面状の発光領域に励起光を出力する面発光素子の構造に関するものである。」
と記載され、
　第２頁左上欄の１〜７行には、
「電界印加に応答してＥＬ発光を放射するＥＬ発光層を励起光源として利用し励起光の照射によってＰＬ発光を放射するＰＬ発光層を発光源としてこれに重畳せしめることにより広範囲の発光色を任意に選定することのできる面発光素子を提供することを目的とする。」
と記載され、
　第２頁左上欄の１１行〜右上欄１９行には、第１図の説明として、
「ガラス基板１上に励起光の照射に応答して蛍光を発するＰＬ発光層２が電子ビーム蒸着法等により層状に形成され、この上に重畳してＩｎ２Ｏ３、ＳｎＯ２等の透明電極３がガラス基板１上に層設されている。透明電極３上にはＹ２Ｏ３，Ｔａ２Ｏ５，ＴｉＯ２，Ａｌ２Ｏ３，ＳｉＯ２又はＳｉ３Ｎ４等から成る第１誘電体層４がスパッタあるいは電子ビーム蒸着法により堆積され、この上に活性物質の添加されたＺｎＳ等の焼結ペレットを電子ビ−ム蒸着することにより得られるＥＬ発光層５及び第１誘電体層４と同様な材料群より選定され同様な方法で作製される第２誘電体層６が重畳して積層され、ＥＬ発光層５の両主面を誘電体層４，６で被覆した三層構造部が形成されている。第２誘電体層６上にはＡｌ，Ｎｉ等から成る背面電極７が蒸着法等にて形成されている。
　ＰＬ発光層２は励起光が照射されることによって可視光域の螢光を放出する性質を有するものとして知られている種々の螢光体材料を薄膜生成技術によって層設したものであり、例えば赤色発光を出力する材料としてはＥｕをドープしたＹ２Ｏ３，同じくＥｕをドープしたＹＶＯ４等，青色発光を出力する材料としてはＰｂをド−プしたＣａＷＯ４，Ｅｕをド−プしたＳｒ２Ｐ２Ｏ７等，緑色発光を出力する材料としてはＭｎをドープしたＺｎ２ＳｉＯ４，Ｃｅ又はＴｂをドープしたＬａＰＯ４等がある。またＥＬ発光層５は本実施例では紫外線を出力する材料としてＧｄ又はＧｄＦ３をドープしたＺｎＳを用いた。」
と記載されており、
　第４頁の第１図には、上記第２頁左上欄の１１行〜右上欄１９行の記載に沿った層形状が図示されている。
　
引用例ロ；
　第１頁左下欄の「２．特許請求の範囲」の欄には、
「順次陽極、正孔インジエクション帯域、有機発光帯域（これらの帯域を合わせた厚さは１μｍを越えない）、および陰極からなり、
これらの電極のうち少なくとも一方は４００ｎｍ以上の波長をもつ幅射線の少なくとも８０％を透過させることができ、かつ
少なくとも９ｘ１０-５Ｗ／Ｗの電力転換効率をもつエレクトロルミネッセント装置。」
と記載され、
　第１頁左下欄の１５〜１７行には、
「本発明は、有機化合物を発光手段とする、電気信号に応答して発光するエレクトロルミネッセント装置に関する。」
と記載され、
　第８頁右上欄の２〜１４行には、
「第１図は本発明に従って製造されたエレクトロルミネッセント装置を示す。これは酸化スズインジウムの半透明被膜１６で被覆されたガラス製支持体１４からなる陽極１２を含む。この上に正孔インジエクション層１８が配置される。発光層２０は層１８上に配置される。層１８および２０の一方または双方が薄膜形成性化合物である。陰極２２は層２０上に配置され、リードワイヤ２４が装置を電源２６に接続する。電源２６を入れると陽極１２で発生した正孔は層１８と２０の界面へ伝達され、ここで陰極２２から伝達された電子と結合し、可視光線ｈνを発する。」
と記載されている。
　
５、対比・判断
　本件発明と、引用例イ記載の発明とを対比すると、引用例イ記載の「ガラス基板１」は、本件発明の「ガラス基板」に相当し、以下同様に、「ＰＬ発光層２」は「螢光層」に、「ＥＬ発光層５」は「発光層」に、「積層方向に配置し」は「順次積層された構造」に、「面発光素子」は「電界発光装置」に、「励起光源」は「電界発光」に、「ＥＬ発光層をＰＬ発光層に対する励起光源としたこと」は「発光は電界発光装置の積層方向に出射されて前記螢光層を照射して螢光をなし、」に、それぞれ相当し、かつ、引用例イ記載の発明において、励起光の照射に応答して光を出力するＰＬ発光層の発光はガラス基板１をを通して外部に放射されることは第１図の記載及び技術常識に照らして明らかであるから、両者は、
「ガラス基板の上に少なくとも螢光層、発光層が順次積層された構造を有し、
　前記発光層が電界発光装置をなし、
　前記発光層は、電界発光をなし、
　該発光は前記電界発光装置の積層方向に出射されて前記螢光層を照射して螢光をなし、
　該螢光が前記ガラス基板を通して外部に放射される表示装置。」
である点で一致し、以下の点で相違する。
　
相違点ａ；
　本件発明は、正電極、負電極、正孔注入層を有するものであって、直流電源を用いるいわゆる有機ＥＬ素子と認められるであって、電界発光をなす構成としては、
「正電極、発光層及び負電極が順次積層された構造を有し、
　前記正電極、前記発光層及び前記負電極が電界発光装置をなし、
　
前記正電極および前記発光層間に正孔注入層を有し、
「ＥＬ発光層、透明電極、背面電極が順次積層された構造を有し、
　前記ＥＬ発光層、透明電極及び背面電極が電界発光装置をなし、
　前記ＥＬ発光層は、前記透明電極及び前記背面電極に印加される電圧によって励起されて電界発光をなし」ているものであって、正孔注入層が無い、いわゆる無機ＥＬ素子と認められる点で相違する。
　
　そこで、上記相違点ａについて検討すると、引用例ロには、上記のとおり、
「陽極、正孔インジエクション帯域、有機発光帯域および陰極からなるエレクトロルミネッセント装置。」
が記載されており、引用例ロの「陽極」は本件発明の「正電極」に相当し、以下同様に「正孔インジエクション帯域」は「正孔注入層」に、「有機発光帯域」は「発光層」に、「陰極」は「負電極」にそれぞれ対応していることは当業者において明らかであるから、引用例ロには本件発明において用いられている有機ＥＬ素子の上記相違点ａに係る構成が全て記載されているものと認められる。
　
　そして、「発光は前記電界発光装置の積層方向に出射されて前記螢光層を照射して螢光をなし、該螢光が前記ガラス基板を通して外部に放射される表示装置。」は引用例イにすでに記載されているところであるから、結局、本件発明は、引用例イ記載の発明の無機ＥＬ素子を引用例ロ記載の有機ＥＬ素子に置換したものにすぎず、当業者が引用例イ、ロ記載の発明から容易に想到できたものと認められる。
　そして、ガラス基板から出射される光は、引用例イ記載の発明も本件発明も共に、電界発光が電界発光装置の積層方向に出射されて前記螢光層を照射して螢光をなし、該螢光が前記ガラス基板を通して外部に放射されるものであって、それにより視覚依存性が改善されるものであって、予測し難い格別な効果が生じるものでもない。
　
６、むすび
　以上のとおりであるから、本件発明（訂正後の請求項１に係る発明）は、引用例イ、ロ記載の発明に基づいて当業者が容易に発明をすることができたものであり、特許法第２９条第２項の規定により拒絶の査定をしなければならない出願について特許されたものである。
　したがって、本件発明に係る特許は取り消されるべきものである。
　よって、結論のとおり決定する。
【異議決定日】
平成１３年９月４日（２００１．９．４）
【訂正の要旨】
明細書の【特許請求の範囲】の欄の、
「　【請求項１】ガラス基板の上に少なくとも螢光層、正電極、発光層及び負電極が順次積層された構造を有し、前記正電極、前記発光層及び前記負電極が電界発光装置をなし、前記発光層は、前記正電極及び前記負電極間に印加される電圧によって励起されて電界発光をなし、該発光は前記電界発光装置の積層方向に出射されて前記螢光層を照射して螢光をなし、該螢光が前記ガラス基板を通して外部に放射されることを特徴とする表示装置。
　【請求項２】前記正電極及び前記発光層間に正孔注入層を有することを特徴とする請求項１記載の表示装置。」
を、
「　【請求項１】ガラス基板の上に少なくとも螢光層、正電極、発光層及び負電極が順次積層された構造を有し、
　前記正電極、前記発光層及び前記負電極が電界発光装置をなし、
　
前記正電極及び前記発光層間に正孔注入層を有し、
　前記発光層は、前記正電極及び前記負電極間に印加される電圧によって励起されて電界発光をなし、
　該発光は前記電界発光装置の積層方向に出射されて前記螢光層を照射して螢光をなし、
　該螢光が前記ガラス基板を通して外部に放射されることを特徴とする表示装置。」
と訂正する。（下線部は、訂正個所を示す。）
（５４）【発明の名称】
表示装置
（５７）【特許請求の範囲】
（１）ガラス基板の上に少なくとも螢光層、正電極、発光層及び負電極が順次積層された構造を有し、
　前記正電極、前記発光層及び前記負電極が電界発光装置をなし、
　前記正電極および前記発光層間に正孔注入層を有し、
　前記発光層は、前記正電極及び前記負電極間に印加される電圧によって励起されて電界発光をなし、
　該発光は前記電界発光装置の積層方向に出射されて前記螢光層を照射して螢光をなし、
　該螢光が前記ガラス基板を通して外部に放射されることを特徴とする表示装置。
【発明の詳細な説明】
技術分野
　本発明は表示装置に関し、特に２次元画像表示に用いて好適な表示装置に関する。
背景技術
　表示装置としては、従来、ＣＲＴ（陰極線管）や液晶がよく使われている。しかしながら、ＣＲＴは真空系を必要とすると共に、奥行きが必要で平面化が困難であり、さらには大画面化が困難で高電圧を用いる必要がある等の欠点を有している。一方、液晶は表示駆動信号に対する反応速度が遅く、視覚依存性があるとともに、透過効率が悪いので明るさが不均一であるいう欠点を有している。
発明の概要
　そこで、本発明は、視覚依存性がなく軽量であると共に、平面化及び大画面化が容易な表示装置を提供することを目的とする。
　本発明による表示装置は、紫外線に感応して発光する螢光層と、印加電圧によって励起されて紫外線を発して螢光層に照射する電界発光装置とを備えた構成となっている。
実施例
　以下、本発明の実施例を図に基づいて詳細に説明する。
　第１図は本発明の一実施例を示す概略斜視図、第２図はその平断面図である。第１図及び第２図において、紫外線、特に波長が３６５ｎｍ付近のブラックライトに感応して発光する螢光層１が設けられており、この螢光層１はブラックライトに感応して赤色（Ｒ）光、緑色（Ｇ）光及び青色（Ｂ）光をそれぞれ発光する３種の螢光材からなり、これら螢光材がストライプ状にＲ，Ｇ，Ｂの順に繰り返された構成となっている。この種の螢光材としては、例えば、シンロイヒ株式会社製のルミライトカラー（商品名）を用い得る。このルミライトカラーは、赤発光が酸化イットリウム系、緑発光が酸化亜鉛：酸化ゲルマニウム系、青発光が酸化ボロンカルシウム系である。螢光層１の厚みは、例えば１０００Å〜５０００Å程度に設定されている。
　螢光層１の後側には、印加電圧によって励起されて例えば画素単位に紫外線を発して螢光層１に照射する電界発光装置２が設けられている。この電界発光装置２は、正電極３、正孔注入層４、発光層５及び負電極６を積層することによって構成されている。そして、発光層５は螢光増白剤の如き波長が３６５ｎｍ付近の紫外線を発光する材料によって構成されている。３５０〜３７５ｎｍに紫外線発光特性を持つ材料としては、パラーターフェニール、２，２″−ディメチル−パラ−ターフェニール、パラ−クォータ・フェニール、３，３′，２″，３’’’−テトラメチル−パラ−クォータ・フェニール、４，４″−ビス・ブチル・オクチル・オキシ−パラ−クォータ・フェニール等が挙げられる。この電界発光装置２において、各層の厚みは、例えば、正電極３、正孔注入層４、発光層５及び負電極６のいずれも１０００Å程度に設定されている。正電極３は例えば水平方向に互いに平行に伸長する複数の導電ストリップからなり、負電極６は例えば垂直方向に互いに平行に伸長する複数の導電ストリップからなり、各ストリップの交叉点が１画素に対応する。このような電極構成としておいて、正及び負電極３，６間に順次電圧を印加して発光点を水平及び垂直方向に移動せしめ、螢光層１を水平、垂直方向に順次走査することができる。なお、電極３，６の形状は単位時間において発光すべき領域の形状によって種々変形されることは言うまでもない。
　螢光層１の前側（発光面側）には、２μｍ程度の厚さのガラス７が配され、さらにガラス７の前面には１０００Å程度の厚さの紫外線遮断層８が設けられている。紫外線遮断層８は紫外線遮断膜若しくは遮断ガラス、又は紫外線吸収膜若しくは吸収ガラスによって構成され、螢光層１に対する外部光による悪影響を回避し、さらには電界発光装置２から発せられる紫外線が螢光層１を透過して外部に漏洩するのを防止すべく設けられている。
　このように構成された表示装置においては、紫外線に感応して発光するストライプ状に配列されたＲ，Ｇ，Ｂの螢光層１をフェースプレートとして設け、この螢光層１に対して電界発光装置２から画素単位で発せられる紫外線を照射する構成となっているので、液晶の如き視覚依存性がなく、しかも動画表示にも十分に対応できる表示速度が得られることになる。また、螢光層１及び電界発光装置２が非常に薄くかつ軽量であるため、装置全体の平面化及び大画面化に容易に対応できることになる。
　なお、螢光層１にメモリ特性を持たせることにより、電界発光装置２における発光層５の駆動回路を簡素化できることになる。
発明の効果
　以上説明したように、本発明による表示装置においては、紫外線に感応して発光する螢光層を設け、この螢光層に対して電界発光装置から発せられる紫外線を照射する構成となっているので、視覚依存性がなく軽量であると共に、平面化及び大画面化が容易である。
　また、螢光層を照射光で順次走査できる構成となっているので、動画表示にも十分に対応できる表示速度を得ることができる。
【図面の簡単な説明】
　第１図は本発明の一実施例を示す概略斜視図、第２図はその平断面図である。
主要部分の符号の説明
１……螢光層、２……電界発光装置
４……正孔注入層、５……発光層、８……紫外線遮断層